(57)【要約】【課題】アクセス管理やセッション管理の概念を含みながらも、音声による対話の通信を行う相手が存在する場所のネットワークに存在する機器と、リモートから制御パケットを送受信可能とする。【解決手段】ＰＤＡ１及び１０はアクセスポイントと呼ばれる接続点２及び６に無線接続し、ＶｏＩＰ網を使って音声による対話、つまり音声通話を行っている。また、ＰＤＡ１及び１０は、ＲＦＩＤを用いたＰＣとの接続の後、ローカル無線通信部２３、インターネットを用いてＰＣ３０及び５０との間でデータをパケット交換する。【選択図】  図１
2004282248.tif 000002
【特許請求の範囲】
【請求項１】
通信網と無線にて接続でき、音声による対話のための通信を行うことができる少なくとも二つの携帯型電子機器と、
前記少なくとも二つの携帯型電子機器にそれぞれ無線にて接続され、音声による対話のための通信が行われる通信網と、
前記通信網に接続し、かつ前記各携帯型電子機器の行う前記音声による対話のための通信とは異なる他のデータ通信を前記各携帯型電子機器と前記通信網を通して行う少なくとも二つの情報処理装置とを備え、
前記対話のための通信と前記他のデータ通信とを併用することを特徴とする情報処理システム。
【請求項２】
前記少なくとも二つの携帯型電子機器の内の送信側の携帯電子機器は、前記音声による対話のための通信を行う相手となる受信側の携帯電子機器が接続する通信網に存在する受信側の情報処理装置に、送信側の情報処理装置のデータを転送することを特徴とする請求項１記載の情報処理システム。
【請求項３】
前記少なくとも二つの携帯型電子機器はインターネットに接続し、インターネット電話として機能し、前記少なくとも二つの情報処理装置はインターネット電話における音声通信とは異なる他のデータ通信を行うことを特徴とする請求項１記載の情報処理システム。
【請求項４】
前記通信網を通してデータを送る送信側にあって携帯型電子機器と情報処理装置は無線にて接続され、またデータを受ける受信側にあっても携帯型電子機器と情報処理装置は無線にて接続されることを特徴とする請求項１記載の情報処理システム。
【請求項５】
前記通信網を通してデータを送る送信側にあって前記携帯型電子機器は前記情報処理装置から受け取ったデータパケットの転送先となる受信側の情報処理装置を、前記通信網及び受信側の携帯型電子機器を通して指定し、制限することを特徴とする請求項１記載の情報処理システム。
【請求項６】
前記少なくとも二つの携帯型電子機器による前記音声による対話のための通信が終了したとき、前記他のデータ通信も連動して停止することを特徴とする請求項１記載の情報処理システム。
【請求項７】
前記送信側の携帯型電子機器と受信側の携帯型電子機器とが音声による通話のために用いている通信の接続を利用して前記送信側の情報処理装置と受信側の情報処理装置とが直接通信を行うことを特徴とする請求項１記載の情報処理システム。
【請求項８】
通信網と無線にて接続でき、音声による対話のための通信が行える送信側又は受信側の少なくとも二つの携帯型電子機器と、前記少なくとも二つの携帯型電子機器にそれぞれ無線にて接続する通信網と、前記通信網に接続し、かつ前記各携帯型電子機器の行う通信とは異なる通信を前記各携帯型電子機器と前記通信網を通して行う送信側又は受信側の少なくとも二つの情報処理装置とを備えてなる情報処理システムにおける情報処理方法であって、
送信側の携帯型電子機器と受信側の携帯型電子機器とが音声による通話のための通信を行う工程と、
前記送信側の携帯型電子機器と送信側の情報処理装置とが無線接続する工程と、
前記受信側の携帯型電子機器と受信側の情報処理装置とが無線接続する工程と、
前記送信側の携帯型電子機器が予め持っている送信側の情報処理装置のデータ参照権利を受信側の携帯型電子機器に送る工程と、
前記受信側の携帯型電子機器が前記データ参照権利を受信側の情報処理装置に転送する工程と、
前記受信側の情報処理装置が出したデータ要求に応えて前記送信側の携帯型電子機器、受信側の携帯型電子機器を通して送信側の情報処理装置からデータが転送される工程と
を備えることを特徴とする情報処理方法。
【請求項９】
前記受信側の情報処理装置が出したデータ要求に応えて前記送信側の携帯型電子機器、受信側の携帯型電子機器を通して送信側の情報処理装置からデータが転送される工程は、Ｈ．３２３プロトコルの任意文字列転送機能を用ることを特徴とする請求項８記載の情報処理方法。
【請求項１０】
前記受信側の情報処理装置が出したデータ要求に応えて前記送信側の携帯型電子機器、受信側の携帯型電子機器を通して送信側の情報処理装置からデータが転送される工程は、前記携帯型電子機器間の音声による通話のための通信の接続が有効な間だけ有効であることを特徴とする請求項８記載の情報処理方法。
【請求項１１】
通信網と無線にて接続でき、音声による対話のための通信が行える送信側又は受信側の少なくとも二つの携帯型電子機器と、前記少なくとも二つの携帯型電子機器がそれぞれ無線にて接続する通信網と、前記通信網に接続し、かつ前記各携帯型電子機器の行う通信とは異なる通信を前記各携帯型電子機器と前記通信網を通して行う送信側又は受信側の少なくとも二つの情報処理装置とを備えてなる情報処理システムにおける情報処理方法であって、
送信側の携帯型電子機器と受信側の携帯型電子機器とが音声による通話のための通信を行う工程と、
前記送信側の携帯型電子機器と送信側の情報処理装置とが無線接続する工程と、
前記受信側の携帯型電子機器と受信側の情報処理装置とが無線接続する工程と、
前記送信側の携帯型電子機器と受信側の携帯型電子機器とが音声による通話のために用いている通信の接続を利用して前記送信側の情報処理装置と受信側の情報処理装置とが直接通信を行う工程と
を備えることを特徴とする情報処理方法。
【発明の詳細な説明】
【０００１】
【発明の属する技術分野】
本発明は、インターネットや、電話回線のような通信網に接続した少なくとも二つの携帯型電子機器及び二つの情報処理装置からなり、音声による対話のための通信を行うとともに他のデータ通信を行う情報処理システム及び情報処理方法に関する。
【０００２】
【従来の技術】
従来、インターネット等のネットワークの接続はモデムによって行っており、データ通信で回線を使用している間は音声による対話ができなかった。またモデムはネットワーク間又は単一ノードとネットワークとの接続を指向しているため、接続はほとんどが固定局同士か移動局対固定局であり、移動局同士が接続することにあまり意味がなかった。
【０００３】
インスタントメッセージは、ピアツーピア又はサーバを経由してメッセージやファイルをやりとりできる。これを利用すると音声対話とファイル交換が手軽に行えるが、あくまでもメッセージの交換が目的であって、対話中のネットワーク同士のパケットを交換する仕組みはない。つまり単にアプリケーション同士が通信しているだけであり、近傍のコンピュータに対して通信を転送するような機能はない。
【０００４】
特開２０００−１１５２５３号公報には、ＩＰ電話機能を持つ携帯電話端末が近傍の別のコンピュータに対して、データタイプに応じてパケットを転送したり、データの転送を指示したりできる技術が開示されている。
【０００５】
【特許文献１】
特開２０００−１１５２５３
【０００６】
【発明が解決しようとする課題】
ところで、前記特開２０００−１１５２５３号公報により開示された技術には、アクセス管理やセッション管理の概念は含まれていない。すなわち、仮に別のコンピュータにパケットを転送できても、そのコンピュータはそれを処理してよいのか破棄すべきなのかを判断できない。その上、セッションの概念がないために、処理したデータをいつまで保持しておくべきなのかも判断できない。
【０００７】
またＰＣはワークステーションの利用において一般的なログの概念は、一度ログインできてしまえば許可された範囲内であれば自由に資源にアクセスできる。この際、資源のオーナが介入できる余地はない。
【０００８】
本発明は、前記実情に鑑みてなされたものであり、アクセス管理やセッション管理の概念を含みながらも、音声による対話の通信を行う相手が存在する場所のネットワークに存在する機器と、リモートから制御パケットを送受信できる情報処理システム及び情報処理方法の提供を目的とする。
【０００９】
【課題を解決するための手段】
本発明に係る情報処理システムは、前記課題を解決するために、通信網と無線にて接続でき、音声による対話のための通信が行える少なくとも二つの携帯型電子機器と、前記少なくとも二つの携帯型電子機器がそれぞれ無線にて接続し、音声による対話のための通信が行われる通信網と、前記通信網に接続し、かつ前記各携帯型電子機器の行う前記音声による対話のための通信とは異なる他のデータ通信を前記各携帯型電子機器と前記通信網を通して行う少なくとも二つの情報処理装置とを備え、前記対話のための通信と前記他のデータ通信とを併用する。
【００１０】
本発明の情報処理システムは、ＩＰ電話や携帯電話などで接続している回線を、相手との対話と、相手先のネットワークにある機器との通信に併用する。対話の終了が、ネットワーク接続の停止と連動している。パケットの転送を行う対象のマシンを、何らかの方法で指定した特定のマシンのみに制限することができる。
【００１１】
本発明に係る情報処理方法は、前記課題を解決するために、通信網と無線にて接続でき、音声による対話のための通信が行える送信側又は受信側の少なくとも二つの携帯型電子機器と、前記少なくとも二つの携帯型電子機器がそれぞれ無線にて接続する通信網と、前記通信網に接続し、かつ前記各携帯型電子機器の行う通信とは異なる通信を前記各携帯型電子機器と前記通信網を通して行う送信側又は受信側の少なくとも二つの情報処理装置とを備えてなる情報処理システムにおける情報処理方法であって、送信側の携帯型電子機器と受信側の携帯型電子機器とが音声による通話のための通信を行う工程と、前記送信側の携帯型電子機器と送信側の情報処理装置とが無線接続する工程と、前記受信側の携帯型電子機器と受信側の情報処理装置とが無線接続する工程と、前記送信側の携帯型電子機器が予め持っている送信側の情報処理装置のデータ参照権利を受信側の携帯型電子機器に送る工程と、前記受信側の携帯型電子機器が前記データ参照権利を受信側の情報処理装置に転送する工程と、前記受信側の情報処理装置が出したデータ要求に応えて前記送信側の携帯型電子機器、受信側の携帯型電子機器を通して送信側の情報処理装置からデータが転送される工程とを備える。
【００１２】
この情報処理方法は、ＩＰ電話で接続している回線を、相手との対話と、相手先のネットワークにある機器との通信に併用する。
【００１３】
また、本発明に係る情報処理方法は、前記課題を解決するために、通信網と無線にて接続でき、音声による対話のための通信が行える送信側又は受信側の少なくとも二つの携帯型電子機器と、前記少なくとも二つの携帯型電子機器がそれぞれ無線にて接続する通信網と、前記通信網に接続し、かつ前記各携帯型電子機器の行う通信とは異なる通信を前記各携帯型電子機器と前記通信網を通して行う送信側又は受信側の少なくとも二つの情報処理装置とを備えてなる情報処理システムにおける情報処理方法であって、送信側の携帯型電子機器と受信側の携帯型電子機器とが音声による通話のための通信を行う工程と、前記送信側の携帯型電子機器と送信側の情報処理装置とが無線接続する工程と、前記受信側の携帯型電子機器と受信側の情報処理装置とが無線接続する工程と、前記送信側の携帯型電子機器と受信側の携帯型電子機器とが音声による通話のために用いている通信の接続を利用して前記送信側の情報処理装置と受信側の情報処理装置とが直接通信を行う工程とを備える。
【００１４】
この情報処理方法は、携帯電話で接続している回線を、相手との対話と、相手先のネットワークにある機器との通信に併用する。
【００１５】
【発明の実施の形態】
以下、本発明の実施の形態について図面を参照しながら説明する。この実施の形態は、図１に示すように、通信網３〜５と、この通信網３〜５にそれぞれ無線にて接続する二つの携帯型電子機器１、１０と、前記携帯電子機器１、１０の近傍であって通信網３〜５に接続している二つの情報処理装置３０、５０とを備えてなる情報処理システムである。
【００１６】
通信網３〜５は、通信回線、情報通信ネットワークを含む。この実施の形態では、通信網の具体例として、一般公衆回線などの通信回線３、５や、情報通信ネットワークを複数接続することによって世界中に広がったネットワーク環境であるインターネット４を挙げている。インターネット４は、現在、広帯域、高速な通信回線の普及によってブロードバンド伝送（Ｂｒｏａｄｂａｎｄ  Ｔｒａｎｓｍｉｓｓｉｏｎ）を可能としている。インターネットは、光ファイバーやＣＡＴＶ（ケーブルテレビ）、無線等を用いて実現されている。一般には、５００ｋｂｐｓ以上の通信回線でネットワークを構成している。もちろん、構内ネットワーク（Ｌｏｃａｌ  Ａｒｅａ  Ｎｅｔｗｏｒｋ：ＬＡＮ）を用いてもよい。
【００１７】
図２に示すように、二つの携帯型電子機器１、１０は、例えば携帯情報端末（Ｐｅｒｓｏｎａｌ  Ｄｉｇｉｔａｌ  Ａｓｓｉｓｔａｎｔ：ＰＤＡ）である。一方のＰＤＡ１及び他方のＰＤＡ１０は、ＣＰＵ１１にバス（ＢＵＳ）１２を介して、ＲＯＭ１３、ＲＡＭ１４、ＬＣＤコントローラ１５を接続している。また、ＣＰＵ１１にバス１２を介して電話機能部１７、入出力（ＩＯ）部１８、ネットワークインターフェース（Ｉ／Ｆ）２２、ローカル無線通信部２３、ＲＦＩＤタグ２４（Ｒａｄｉｏ  Ｆｒｅｑｕｅｎｃｙ  ＩＤｅｎｔｉｆｉｃａｔｉｏｎ）を接続している。
【００１８】
ＬＣＤコントローラ１５にはＬＣＤ１６が接続している。また、ＩＯ部１８には、通話時等に使用されるスピーカ１９、マイクロホン２０や、ダイヤル操作時に使用されるキー操作部２１が接続されている。
【００１９】
ＰＤＡ１及び１０は、一般的なＰＩＭ（Ｐｅｒｓｏｎａｌ  Ｉｎｆｏｒｍａｔｉｏｎ  Ｍａｎａｇｅｍｅｎｔ）機能である、電子スケジュール管理、電子アドレス帳、電子メモ帳、行動リスト管理などの機能を実行する各アプリケーションソフトを例えばＲＯＭ１３内に格納している。各アプリケーションをＣＰＵ１１によって実行することによって前記各機能を果たす装置となる。また、ＰＤＡ１及び１０は、ネットワークＩ／Ｆ２２を用いたインターネット接続機能も備えている。
【００２０】
電話機能部１７は、ＲＦ処理部、変調／復調部及び音声処理部等の電話信号処理部を備えている。ＩＯ部１８に接続しているキー操作部２１によって入力された相手先番号の相手先（ここでは、ＰＤＡ１に対するＰＤＡ１０）に対して発呼を行い、回線が繋がると前記電話信号処理部により各処理を行う。そして、ユーザは、スピーカ１９やマイクロホン２０を用いてインターネットを用いた通話を行うことができる。ここで、ネットワークＩ／Ｆ２２は、ＡＰと無線接続し、ＶｏＩＰ（Ｖｏｉｃｅ  ｏｖｅｒ  ＩＰ）等のインターネット電話のプロトコルにしたがいインターネットを介した通信を行う。ＶｏＩＰは、デジタル符号化した音声信号を一定の時間ごとに区切ってパケット化して、ＩＰデータグラムで運ぶ技術である。
【００２１】
ローカル無線通信部２３は、所定バンド処理部、ＲＦ処理部、ローカル無線通信アンテナを内蔵し、パーソナルコンピュータ（ＰＣ）との間でデータを無線通信する。
【００２２】
ＲＦＩＤタグ２４は、ＰＣに配設されている無線読み取り装置に接触又は近接されることにより、ＰＣにＲＦＩＤを読み取らせることができる。ＲＦＩＤタグ２４は、シリコンチップのような半導体チップと、データを送信できるアンテナからなる。ＲＦＩＤ確認後の認識結果に応じて、ＰＣはローカル無線通信部２３によりＰＤＡとの間でのデータ無線通信を可能とする。
【００２３】
ＰＤＡ１及び１０は、前記インターネット接続機能と電話機能部１７を用いることにより、前記インターネット網を使ったインターネット電話として動作する。つまり、ＰＤＡ１及び１０は、前記インターネット接続機能と電話機能部１７を用いて、ＶｏＩＰのようなインターネット電話のプロトコルに従い、インターネットを介して音声による対話のための通信を実現している。具体的に、ＰＤＡ１及び１０は図１に示すようにアクセスポイント（Ａｃｃｅｓｓ  Ｐｏｉｎｔ：ＡＰ）と呼ばれる接続点２及び６に無線接続し、前記ＶｏＩＰ網を使って音声による対話、つまり音声通話を行っている。
【００２４】
また、ＰＤＡ１及び１０は、前述したように、ＲＦＩＤを用いたＰＣとの接続の後、ローカル無線通信部２３を用いてＰＣ３０及び５０との間でデータを無線通信する。
【００２５】
情報処理装置の具体例であるＰＣ３０及び５０は、図３に示すように、ＣＰＵ３１にバス（ＢＵＳ）３２を介して、ＲＯＭ３３、ＲＡＭ３４、ＨＤＤ３５、ＬＣＤコントローラ３６を接続している。また、ＣＰＵ３１にバス３２を介して入出力（ＩＯ）部３８、ネットワークインターフェース（Ｉ／Ｆ）４２、ローカル無線通信部４３、ＲＦＩＤ読み取り部４４を接続している。
【００２６】
ＬＣＤコントローラ３６にはＬＣＤ３７が接続している。また、ＩＯ部３８には、スピーカ３９、マイクロホン４０や、キー操作部４１が接続されている。
【００２７】
ＰＣ３０及び５０は、一般的なＰＩＭ機能である、電子スケジュール管理、電子アドレス帳、電子メモ帳、行動リスト管理などの機能を実行する各アプリケーションソフトの他、ビデオデータや、音声データ、或いはテキストデータを扱う各種アプリケーションソフト、例えばプレゼンテーションソフト等を例えばＨＤＤ３５やＲＯＭ３３内に格納している。各アプリケーションをＣＰＵ３１によって取り出しＲＡＭ３４をワークエリアにして実行することによって前記各機能を果たす装置となる。また、ＰＣ３０及び５０は、ネットワークＩ／Ｆ４２を用いたインターネット接続機能も備えている。
【００２８】
ローカル無線通信部４３は、所定バンド処理部、ＲＦ処理部、ローカル無線通信アンテナを内蔵し、ＰＤＡとの間でデータを無線通信する。
【００２９】
ＲＦＩＤ読み取り部４４は、ＰＤＡの近接により前記ＲＦＩＤタグ２４からＲＦＩＤを読み取り、ＰＤＡのＩＤを認識する。なお、ＲＦＩＤを用いての接続処理については説明を後述する。ＰＤＡのＩＤの認識結果に基づいて、ローカル無線通信部４３は、ＰＤＡとの間でデータ通信を行う。
【００３０】
ＰＣ３０及び５０は、ＰＤＡ１及び１０がインターネット電話機能を果たすためにしたがったＨ３２３等の任意文字列を送信可能な前記ＶｏＩＰを利用し、データ通信を行う。
【００３１】
次に、情報処理システムの概略的な動作を図４、図５のフローチャートを参照して説明する。図４は、ＰＤＡ１がＩＰ電話をかけて接続した場合の処理手順である。先ず、ＰＤＡ１は、キー操作部２１により入力された番号などに基づいて発呼する（ステップＳ１）。発呼の際に指定される相手先アドレスはＩＰアドレスやＨ．３２３ゲートキーパに登録されている文字列などである。発呼が成功して相手が接続を許可する（ステップＳ２）と、対話セッションが始まる。この状態では、常に音声又は画像パケットの送受信が可能となる（ステップＳ３）。それぞれの端末（ＰＤＡ）側のネットワーク同士が接続可能な状態になる。どちらかのＰＤＡ１又は１０で通話を切断すると（ステップＳ４のＹＥＳ）、ネットワークの接続も同時に切断される。
【００３２】
図５は、ＰＤＡが送受信状態のときの、ネットワーク接続処理における手順である。図４において通話が確立すると、図５のフローチャートがスタートする。通話が終了すると図５のフローも強制的に終了する。ＰＤＡは接続しているネットワーク側でパケット受信を待つ（ステップＳ１１）。パケットが来たらヘッダを解析し（ステップＳ１２）、接続先へ転送すべきパケットか否かを判断し（ステップＳ１３）、転送すべきパケットだと判断したら（ＹＥＳ）、ヘッダを付け替えてＨ．３２３の任意文字列送信処理を行ってパケットを転送する（ステップＳ１４）。また、Ｈ．３２３で送られた任意文字列を受信したら、そのヘッダを付け替えてネットワーク側へパケット送信してもよい。
【００３３】
前記のパケット転送処理を行う際に、ネットワーク側に流れるパケットをすべて転送することもできるし、特定のマシン（ＰＣ）との間のみ転送処理することもできる。
【００３４】
以上に説明した処理の用途は、例えばＰＤＡを持っているユーザが、相手（ＰＤＡ）の属するネットワーク上のマシンに自分のコンテンツを表示させたりするような、リモートな状態でのコンテキスト・アウェア・システムを構築する場合に有効である。
【００３５】
図６には、ＰＤＡ同士の接続から、ＰＤＡを経由したＰＣ同士のデータ転送まで処理例のシーケンス図を示す。先ず、ＰＤＡ１が発呼し、ＰＤＡ１０が応答すると、ＰＤＡ１とＰＤＡ１０とがＩＰ網を使って音声パケットを送受信し、音声通信を行う。
【００３６】
次に、ＰＤＡ１とＰＣ３０は、ＲＦＩＤタグ２４とＲＦＩＤ読み取り部４４によってＲＦＩＤ等による相互アドレスを取得して相互に接続する。ＰＤＡ１０とＰＣ５０においても同様にＲＦＩＤ等による相互アドレスを取得して相互に接続する。このＰＣ３０とＰＤＡ１間、及びＰＣ５０とＰＤＡ１０間の相互接続は、図中の破線Ａより上ならいつでもよい。なお、ＰＤＡ１は、ＰＣ３０内のデータへのアクセスキー（参照する権利）を予め持っている。
【００３７】
次に、ＰＤＡ１は、前記ＰＣ３０内のデータへのアクセスキー（参照する権利）をＰＤＡ１０に転送する。データの実体は、ＰＣ３０又はＰＤＡ１にあり、それを参照する権利であるアクセスキーだけが相手のＰＤＡ１０に転送される。このアクセスキーは、ＰＤＡ１０からＰＣ５０に転送される。
【００３８】
次に、ＰＣ５０がデータを要求すると、データ供給はＰＤＡ１０、ＰＤＡ１を通してＰＣ３０に送られる。データアクセスキーとこのデータ要求により、相互のＰＣ３０、５０のアドレスと認証キーが交換される。
【００３９】
そして、ＰＣ３０が前記データ要求に許可をだすと、ＰＤＡ１、ＰＤＡ１０を通して許可はＰＣ５０に送られる。この状態において、Ｈ３２３．プロトコルの任意文字列転送機能を利用してＰＣ３０内のデータがパケット交換により、ＰＣ３０とＰＤＡ１間、ＰＤＡ１とＰＤＡ１０間、ＰＤＡ１０とＰＣ５０間で、データ転送される。これにより、ＰＣ３０とＰＣ５０は、ＰＤＡ１とＰＤＡ１０との間のコネクションを使ってデータの通信を可能とする。ＰＤＡ１、ＰＤＡ１０同士の接続が有効な間だけＰＣ３０とＰＣ５０間の通信が可能となる。また、ＰＣ３０のデータは、ＰＣ５０の表示部で視認できるだけでなく、ＰＤＡ１及びＰＤＡ１０の表示部でも視認できる。
【００４０】
これまで説明したのは、ＰＤＡ同士の接続から、ＰＤＡを経由したＰＣ同士のデータ転送であり、ＰＤＡ同士のコネクションを使ってＰＣ同士が通信した処理例であった。
【００４１】
なお、図１に示した構成のシステムにおいては、ＰＤＡ同士の接続からＰＣ同士のデータ転送という、ＰＣ同士が得たアドレスと認証キーを使って直接通信を行うという処理例も実現することができる。図７には、ＰＤＡ同士の接続からＰＣ同士のデータ転送までの処理例のシーケンス図を示す。先ず、ＰＤＡ１が発呼し、ＰＤＡ１０が応答すると、ＰＤＡ１とＰＤＡ１０とがＩＰ網を使って音声パケットを送受信し、音声通信を行う。
【００４２】
次に、ＰＤＡ１とＰＣ３０は、前記ＲＦＩＤ等による相互アドレスを取得して相互に接続する。ＰＤＡ１０とＰＣ５０においても同様にＲＦＩＤ等による相互アドレスを取得して相互に接続する。このＰＣ３０とＰＤＡ１間、及びＰＣ５０とＰＤＡ１０間の相互接続は、図中の破線Ａより上ならいつでもよい。なお、ＰＤＡ１は、ＰＣ３０内のデータへのアクセスキー（参照する権利）を予め持っている。この場合のアクセスキーとして、ＰＤＡ１はＰＣ３０がサーバとしてデータを置いているインターネット上のＵＲＬと鍵を取得している。
【００４３】
次に、ＰＤＡ１は前記インターネット上のＵＲＬと鍵をＰＤＡ１０に転送する。さらに、前記インターネット上のＵＲＬと鍵は、ＰＤＡ１０からＰＣ５０に転送される。ＰＣ５０がアドレス要求を出すと、ＰＤＡ１０はＰＣ２のアドレスをＰＤＡ１に送る。ＰＤＡ１は、ＰＤＡ１０に肯定的な確認応答（Ａｃｋｎｏｗｌｅｄｇｅｍｅｎｔ：ＡＣＫ）を返すと共に、ＰＣ３０のアドレスを送る。さらに、ＰＤＡ１は、ＰＣ２のアドレスをＰＣ３０に送る。
【００４４】
次に、ＰＤＡ１０はＡＣＫをＰＤＡ１に返し、ＰＣ３０のアドレスをＰＣ５０に送る。これにより、ＰＣ５０は接続要求とデータＵＲＬと鍵とを、ＰＣ３０へ直接出す。ＰＣ３０がＰＣ５０からの接続要求に許可を出すと、ＰＣ３０とＰＣ５０は直接データの通信を行うことができる。
【００４５】
なお、前記図６及び図７の処理例において、ＰＤＡとＰＣ間はＲＦＩＤを用いた相互アドレス取得により相互接続をした。このＲＦＩＤを用いた相互接続は以下に示すようにアドレスマネージャを用いた方法と、アドレスマネージャーを用いない方法の二通りがある。
【００４６】
先ず、図８を用いてアドレスマネージャがある場合のＲＦＩＤでのコネクションの開始を説明する。ＰＣ３０とＰＤＡ１間でのコネクションを例にするが、ＰＣ５０とＰＤＡ１０間でも同様である。
【００４７】
ＰＤＡ１のＩＰアドレス、ＲＦＩＤのアドレスマネージャへの登録は、起動時および一定時間ごとに実行される。アドレスマネージャのアドレスはあらかじめＰＤＡ１もＰＣ３０を知っている必要がある。登録が終わるとアドレスマネージャからＰＤＡ１に応答が帰る。
【００４８】
この後、ＰＤＡ１をＰＣ３０の所定の場所に接触又は近接することにより、ＲＦＩＤタグがＰＣ３０に渡される。ＰＣ３０は、ＰＤＡ１のＲＦＩＤに対応するＩＰアドレスをアドレスマネージャに問い合わせる。アドレスマネージャは、ＰＤＡ１のＩＰアドレスをＰＣ３０に応答する。
【００４９】
ＰＣ３０は、ＩＰアドレスを受けると接続開始要求をＰＤＡ１に出す。ＰＤＡ１はＡＣＫをＰＣ３０に返す。そして、ＰＣ３０とＰＤＡ１は、秘密鍵（例えばＤｉｆｆｉｅ−Ｈｅｌｌｍａｎによる）を生成し、この秘密鍵を用いてデータを暗号化、復号しながらデータの無線通信を行う。
【００５０】
次に、図９を用いてアドレスマネージャがない場合のＲＦＩＤでのコネクションの開始を説明する。ここでも、ＰＣ３０とＰＤＡ１間でのコネクションを例にするが、ＰＣ５０とＰＤＡ１０間でも同様である。
【００５１】
先ず、ＰＤＡ１をＰＣ３０の所定の場所に接触又は近接することにより、ＲＦＩＤタグがＰＣ３０に渡される。ＰＣ３０は、ＰＤＡ１のＲＦＩＤに対応するＩＰアドレスをマルチキャスト／ブロードキャストで問い合わせる。ＰＤＡ１は、ＰＣ３０にＩＰアドレスを応答する。
【００５２】
ＰＣ３０は、ＩＰアドレスを受けると接続開始要求をＰＤＡ１に出す。ＰＤＡ１はＡＣＫをＰＣ３０に返す。そして、ＰＣ３０とＰＤＡ１は、秘密鍵（例えばＤｉｆｆｉｅ−Ｈｅｌｌｍａｎによる）を生成し、この秘密鍵を用いてデータを暗号化、復号しながらデータの無線通信を行う。
【００５３】
この方法によれば、アドレスマネージャは不要だが、ＰＤＡが返答できるのはパケットの届く範囲のみである。
【００５４】
なお、前記実施の形態の情報処理システムはＩＰ電話を用いた例であったが、本発明はＩＰ電話を用いない構成の情報処理システムにも適用できる。図１０は、前記図１に示した情報処理システムとしての機能を、ＩＰ電話を使わずに実現する情報処理システム６０の構成図である。ここでは、ＰＤＣ（Ｐｅｒｓｏｎａｌ  Ｄｉｇｉｔａｌ  Ｃｅｌｌｕｌａｒ）／ＰＨＳ（Ｐｅｒｓｏｎａｌ  Ｈａｎｄｙ−ｐｈｏｎｅ  Ｓｙｓｔｅｍ）のような携帯電話６１を前記二つの携帯型電子機器とする。携帯電話６１は後述するようにモデム６２と接続される。ＰＣ６３は小型の組み込み機器でもよい。ネットワークインターフェース６４は、ＬＡＮの具体例であるイーサネット（Ｅｔｈｅｒｎｅｔ；登録商標）へのインターフェースであり、有線または無線で他のコンピュータと通信する。これらの構成要素がコネクタ等で接続されていてもよいし、一体化していてもよい。
【００５５】
この情報処理システム６０では、データのパケットをモデム６２でＤＴＭＦ（Ｄｉａｌ  Ｔｏｎｅ  Ｍｕｌｔｉ  Ｆｒｅｑｕｅｎｃｙ）にエンコード／デコードすることで送受信する。エンコードの方法は、ＤＴＭＦに限らず、お互いの携帯電話が送受信できるエンコード方式ならばよい。
【００５６】
モデム６２は壁面やディスプレイの横などの、人間が携帯電話６１を近づけやすい場所に設置する。ユーザはファイル転送などのパケットを転送することを希望するときにそのモデム６２に携帯電話６１を接触あるいは近接させることで相互のネットワークを接続する。
【００５７】
これにより、双方のユーザが自主的にモデム６２に携帯電話６１を接触あるいは近接させている間だけパケットが転送される。
【００５８】
以下に、図１に構成を示した情報処理システム１０、図１０に構成を示した情報処理システム６０による効果をまとめて記す。前記各システムによれば、携帯型電子機器の相手が存在する場所のネットワークに存在する機器と、リモートから制御パケットを送受信できる。また、リモートから接続可能な機器を、携帯型電子機器を使っている人が限定して指定できる。また、通話が終了すれば、ネットワークも切断されるので、ネットワークの切断のタイミング指定が直感的で、発信者、受信者いずれからも切断あるいは切断のタイミングを制御できる。
【００５９】
【発明の効果】
本発明によれば、アクセス管理やセッション管理の概念を含みながらも、音声による対話の通信を行う相手が存在する場所のネットワークに存在する機器と、リモートから制御パケットを送受信できる。
【図面の簡単な説明】
【図１】情報処理システムの構成図である。
【図２】ＰＤＡのブロック図である。
【図３】ＰＣのブロック図である。
【図４】ＰＤＡにおける処理手順を示すフローチャートである。
【図５】ＰＤＡにおける処理手順を示すフローチャートである。
【図６】情報処理システムのシーケンス図である。
【図７】情報処理システムの他のシーケンス図である。
【図８】ＲＦＩＤでのコネクション開始手順（アドレスマネージャあり）を示すシーケンス図である。
【図９】ＲＦＩＤでのコネクション開始手順（アドレスマネージャなし）を示すシーケンス図である。
【図１０】他の情報処理システムの構成図である。
【符号の説明】
１，１０  携帯電子機器（携帯端末装置）、２，６  アクセスポイント、３，５  通信回線、４  インターネット、３０，５０  ＰＣ
【図１】
2004282248.tif 000003
【図２】
2004282248.tif 000004
【図３】
2004282248.tif 000005
【図４】
2004282248.tif 000006
【図５】
2004282248.tif 000007
【図６】
2004282248.tif 000008
【図７】
2004282248.tif 000009
【図８】
2004282248.tif 000010
【図９】
2004282248.tif 000011
【図１０】
2004282248.tif 000012